(57)【要約】【課題】本発明は透過原稿読取ユニット装着時の電気的接続を不要とし、簡単な構成で小型化、軽量化を図る。【解決手段】コンタクトガラス３５に配置された原稿を下方から照明する反射原稿用光源３７及び原稿からの光束を撮像素子に導く光学系を具備し、原稿台の下側を走査方向に移動する第１走行体３９、第２走行体４２を備え、原稿からの光束を原稿台の下側に配置されたＣＣＤイメージセンサ４４に原稿からの光束を結像して画像情報を取得する画像読取装置１６においてコンタクトガラス３５の上面側から上側に向け光束を射出する透過原稿用光源１０１と、透過原稿用光源１０１からの光束を透過原稿Ｄに上側から導く導光部材１１０とを取付可能とした。【選択図】図３
2010191166.tif 000002
【特許請求の範囲】
【請求項１】
原稿台に配置された原稿を原稿台下方から照明する反射原稿用光源及び前記原稿からの光束を撮像素子に導く光学系を具備し、前記原稿台の下側を走査方向に移動する光源ユニットを備え、原稿からの光束を原稿台の下側に配置された撮像素子に前記原稿からの光束を結像して画像情報を取得する画像読取装置において、
前記原稿台の上面側から上側に向け光束を射出する透過原稿用光源と、
前記透過原稿用光源からの光束を前記原稿台に配置された原稿に上側から導く導光部材と、
を取付可能としたことを特徴とする画像読取装置。
【請求項２】
前記透過原稿用光源は、前記原稿台に前記走査方向に沿って配置される略線状の光源であることを特徴とする請求項１記載の画像読取装置。
【請求項３】
前記透過原稿用光源は、前記光源ユニットに搭載可能であり、前記反射原稿用光源と共に走査方向に移動することを特徴とする請求項１記載の画像読取装置。
【請求項４】
前記反射原稿用光源の少なくとも一部が前記透過原稿用光源機能を兼ねることを特徴とする請求項３記載の画像読取装置。
【請求項５】
前記導光部材は、前記原稿台に配置された原稿を上側から覆うように配置可能な透明板状部材と、この透明板状部材の端部に前記光源からの光を導入する導光素子とを備えていることを特徴とする請求項１乃至３のいずれか記載の画像読取装置。
【請求項６】
前記導光板は、前記光源ユニットに取付可能であり、前記反射原稿用光源と共に走査方向に移動することを特徴とする請求項１乃至３のいずれか記載の画像読取装置。
【請求項７】
請求項１乃至６のいずれか記載の画像読取装置を備えることを特徴とする画像形成装置。
【発明の詳細な説明】
【技術分野】
【０００１】
本発明は原稿読取装置及び画像形成装置に係り、特に反射原稿の他フィルム等の透過原稿を読み取ることができる画像読取装置及びこの画像読取装置を備えた画像形成装置に関する。
【背景技術】
【０００２】
画像形成装置、例えば複写装置やファクシミリ装置には、原稿読取装置が配置され、様々な原稿を読取り、画像データとして出力する。多くの読取装置では反射原稿の読取りを標準的な機能として装備している。  ところで、画像読取装置で読み取る原稿には紙原稿などの反射原稿の他、写真ネガフィルム、ポジフィルム、Ｘ線写真フィルム、ＯＨＰシートなどの透過原稿がある。
【０００３】
画像読取装置で反射原稿を読み取る場合には、原稿面に照明光を当て、原稿面からの反射光をＣＣＤ等の光電素子で電気信号に変換するのが一般的である。これに対し、透過原稿の読取り時には、原稿の裏側から照明光を当て、原稿面を通過した透過光を前記光電素子で読み取る必要がある。そのため、反射原稿と透過原稿の両方を読取り可能にするためには、原稿に対して表裏両面から照明できるようにする必要がある。
【０００４】
このような要望を実現するため、一般的に原稿台の上に透過原稿用光源と透過原稿を押さえつける原稿押圧手段からなる透過原稿読取ユニットを配置することが行われる。また、光源として棒状光源を使用している場合は、透過原稿読取ユニットには、光源を移動させる駆動手段を備える。
【０００５】
特許文献１には、原稿台の下面を走査方向に移動可能な反射原稿読取用の光源及び反射ミラーからなる光源ユニット、及び前記反射原稿からの反射光を所定の方向に反射するミラーを有する読取装置本件と、前気読取装置本体上部に配され、前記原稿台上を移動可能な透過原稿読取用の棒状光源と、前記捧状光源を前記光源ユニットに同期して前記走査方向に移動させる駆動手段と、透過原稿読取時に前記原稿台上面を前記棒状光源と共に覆う開閉可能なカバーとを有する画像読取装置が記載されている。
【０００６】
また、特許文献２には、コンタクトガラスを挟んで光源と対向する位置に圧板を配置し、この圧板におけるコンタクトガラスに対向する下面を鏡面とし、透過原稿を読み取る場合には光源を鏡面に映した状態とし、鏡面に映った光源からの光により透過原稿を読み取るものが記載されている。
【発明の概要】
【発明が解決しようとする課題】
【０００７】
しかしながら、透過原稿用の照明装置等を備えた画像読取装置では、透過原稿読取ユニットは反射原稿の読取り時には不要なため、簡単に取り外しできることが望ましい。しかし、透過原稿読取ユニットは光源、駆動手段等を備えているために装置が大きくなる他、着脱時に電気的な着脱も必要となりその作業が煩雑であるという問題がある。
【０００８】
特許文献１のものは、原稿台の上側に透過原稿用の棒状光源を備えており、透過原稿読取り時に、透過原稿用の棒状光源を電気的に接続する必要があり、装着が面倒であるという問題がある。
【０００９】
特許文献２のものは、ミラーの角度を変える機構が必要である他、装置が複雑になるという問題がある。
【００１０】
そこで、本発明は透過原稿読取ユニット装着時の電気的接続を不要とし、簡単な構成で小型化、軽量化することができる画像読取装置及び画像形成装置を提供することを目的とする。
【課題を解決するための手段】
【００１１】
請求項１の発明は、原稿台に配置された原稿を原稿台下方から照明する反射原稿用光源及び前記原稿からの光束を撮像素子に導く光学系を具備し、前記原稿台の下側を走査方向に移動する光源ユニットを備え、原稿からの光束を原稿台の下側に配置された撮像素子に前記原稿からの光束を結像して画像情報を取得する画像読取装置において、前記原稿台の上面側から上側に向け光束を射出する透過原稿用光源と、前記透過原稿用光源からの光束を前記原稿台に配置された原稿に上側から導く導光部材とを取付可能としたことを特徴とする画像読取装置である。
【００１２】
請求項２の発明は、請求項１記載の画像読取装置において、前記透過原稿用光源は、前記原稿台に前記走査方向に沿って配置される略線状の光源であることを特徴とする。
【００１３】
請求項３の発明は、請求項１記載の画像読取装置において、前記透過原稿用光源は、前記光源ユニットに搭載可能であり、前記反射原稿用光源と共に走査方向に移動することを特徴とする。
【００１４】
請求項４の発明は、請求項３記載の画像読取装置において、前記反射原稿用光源の少なくとも一部が前記透過原稿用光源機能を兼ねることを特徴とする。
【００１５】
請求項５の発明は、請求項１乃至３のいずれか記載の画像読取装置において、前記導光部材は、前記原稿台に配置された原稿を上側から覆うように配置可能な透明板状部材と、この透明板状部材の端部に前記光源からの光を導入する導光素子とを備えていることを特徴とする。
【００１６】
請求項６の発明は、請求項１乃至３のいずれか記載の画像読取装置において、前記導光板は、前記光源ユニットに取付可能であり、前記反射原稿用光源と共に走査方向に移動することを特徴とする。
【００１７】
請求項７の発明は、請求項１乃至６のいずれか記載の画像読取装置を備えることを特徴とする画像形成装置である。
【発明の効果】
【００１８】
本発明に係る画像読取装置及び画像形成装置によれば、装置に配置された透過原稿用光源から光束を導光部材で原稿台上の透過原稿の上方から照射することができる。このため、透過原稿用光源を点灯して導光手段を設置するだけで透過原稿を読み取ることができ、反射原稿及び透過原稿の読取の切換に際して電気的接続を着脱する必要がなくなる他、装置も簡便なものとなる。
【図面の簡単な説明】
【００１９】
【図１】実施例に係る画像形成装置の概略構成を示す断面図である。
【図２】実施例に係る画像読取装置の外観構成を示す斜視図である。
【図３】実施例に係る画像読取装置の構成を示す図２中のＡ−Ａ線に相当する断面図である。
【図４】実施例に係る画像読取装置に使用する導光板の構成を示す断面図である。
【図５】第２の実施例に係る画像読取装置の構成を示す図３と同様の断面図である。
【図６】第２の実施例に係る画像読取装置の反射原稿用光源及び透過原稿用光源の構成を示す斜視図である
【図７】第３の実施例に係る画像読取装置の構成を示す図３と同様の断面図である。
【図８】第３の実施例の変形例に係る画像読取装置の構成を示す図３と同様の断面図である。
【図９】第４の実施例に係る画像読取装置の外観構成を示す斜視図である。
【図１０】第４の実施例に係る画像読取装置の構成を示す図９中のＢ−Ｂ線に相当する断面図である。
【発明を実施するための形態】
【００２０】
本発明に係る画像読取装置は、原稿台に配置された原稿を原稿台下方から照明する反射原稿用光源及び前記原稿からの光束を撮像素子に導く光学系を具備し、前記原稿台の下側を走査方向に移動する光源ユニットを備え、原稿からの光束を原稿台の下側に配置された撮像素子に前記原稿からの光束を結像して画像情報を取得する画像読取装置において前記原稿台の上面側から上側に向け光束を射出する透過原稿用光源と、前記透過原稿用光源からの光束を前記原稿台に配置された原稿に上側から導く導光部材とを取付可能としている。透過原稿用光源は、前記原稿台に前記走査方向に沿って配置される略線状の光源とすることができる他、前記光源ユニットに搭載可能であり、前記反射原稿用光源と共に走査方向に移動するものとでき、前記反射原稿用光源の少なくとも一部が前記透過原稿用光源機能を兼ねるようにできる。
【００２１】
また、前記導光部材は、前記原稿台に配置された原稿を上側から覆うように配置可能な透明板状部材と、この透明板状部材の端部に前記光源からの光を導入する導光素子とを備えて構成することができる他、前記光源ユニットに取付可能とし前記反射原稿用光源と共に走査方向に移動させることができる。
【実施例】
【００２２】
以下本発明の実施例に係る画像形成装置について説明する。図１は実施例に係る画像形成装置の概略構成を示す断面図である。本例では画像形成装置としての複写機１１について説明する。複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３及び記録媒体搬送装置１４を収容する第１の装置本体１５と、原稿画像を読み取る画像読取装置１６と、画像読取装置１６を収容する第２の装置本体１７と、原稿を搬送する開閉体として圧板の機能を有する自動原稿搬送装置（以下、単にＡＤＦという）１８とを備えており、ＡＤＦ１８は第２の装置本体１７に図示していないヒンジ機構を介して第２の装置本体１７に開閉自在に搭載されている。
【００２３】
ＡＤＦ１８は、原稿束を載置可能な原稿載置台２０と、原稿載置台２０に載置された原稿束の上面に当接して原稿束を送り出す当接位置及び原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読取りが終了した原稿を原稿排紙台２６に排紙する搬送ローラ対２７及び排紙ローラ対２８からなる原稿排紙手段２９とを備えている。
【００２４】
また、排紙ローラ対２８は、駆動ローラ２８ａと、駆動ローラ２８ａに摺接する従動ローラ２８ｂ及び従動ローラ２８ｃとを備えており、排紙ローラ対２８の近傍には切換爪３０が設けられている。
【００２５】
切換爪３０は、第１の切換位置と第２の切換位置との間で移動するようになっており、切換爪３０が第１の切換位置に切換えられると、駆動ローラ２８ａ及び従動ローラ２８ｂによって原稿が原稿排紙台２６に排紙されるようになっている。また、切換爪３０が第２の切換位置に切換えられると、駆動ローラ２８ａ及び従動ローラ２８ｃによって原稿がスイッチバック通路３１に搬送されるようになっている。
【００２６】
スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００２７】
また、画像読取装置１６は、それ自体周知のように、光学系３４を収容した第２の装置本体１７と、第２の装置本体１７の上部に位置する原稿台に固定配置されたコンタクトガラス３５及びスリットガラス３６とを備えている。
【００２８】
この画像読取装置１６にあっては、閉じられた原稿や本等からなる原稿をコンタクトガラス３５上に原稿を載置して、その原稿ＰをＡＤＦ１８によって押圧することにより、原稿を読取ることができる。また、ＡＤＦ１８によって自動搬送される原稿はスリットガラス３６の読取位置で読取られるようになっている。
【００２９】
即ち、画像読取手段としての光学系３４は、稿用光源３７と第１ミラー３８とを有する第１走行体３９と、第２ミラー４０及び第３ミラー４１を有する第２走行体４２と、結像レンズ４３と、ＣＣＤイメージセンサ４４とを備えており、第１走行体３９及び第２走行体４２は、図１に示した位置から右方に移動し、このとき、光源３７から出射する光によって原稿を照明し、その反射光を反射光学系をなす第１ミラー３８、第２ミラー４０及び第３ミラー４１の順に反射した後、結像レンズ４３を通してＣＣＤイメージセンサ４４に入射する。このようにして原稿画像がＣＣＤイメージセンサ４４に結像されることにより、原稿の画像が読取られる。また、ＡＤＦ１８によって原稿を読取る場合には、図１中、右方に示す位置に第１走行体３９及び第２走行体４２を固定した状態で上述した手順で走行する原稿を読取る。この画像読取装置１６は、上述した処理により反射原稿を読み取る。この画像形成装置での透過原稿の読取については後述する。
【００３０】
また、画像形成手段１２は、ドラム状の感光体からなる第１像担持体４５Ｙ、第２像担持体４５Ｃ、第３像担持体４５Ｍ及び第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。
【００３１】
また、第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００３２】
また、光書き込みユニット４８からは、上述した原稿の読取り結果に応じた画信号に基づいて光変調されたレーザビームＬが出射されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００３３】
また、一次転写ローラ５０には、転写電圧が印加されることによって、第１像担持体４５Ｙ上に形成されたトナー像が図１中、矢印Ａ方向に回転する中間転写ベルト４６上に一次転写される。
【００３４】
トナー像転写後の第１像担持体４５Ｙ上に付着する転写残トナーは、クリーニング装置５１によって除去される。本実施の形態の複写機１１においては、第１像担持体４５Ｙと、その周囲に配設された帯電ローラ４７と、現像装置４９と、クリーニング装置５１とによって一体的なプロセスカートリッジが構成されている。
【００３５】
また、現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００３６】
一方、クリーニング装置５１によって、第１像担持体４５Ｙから除去されたトナーは、トナー搬送装置によって、図示していない廃トナー容器に搬送される。このように、現像容器５３、トナーボトル５４Ｙ及び廃トナー容器にはトナーが収容されている。
【００３７】
また、上述した動作と同様にして、第２像担持体４５Ｃ、第３像担持体４５Ｍ及び第４像担持体４５ＢＫ上にシアントナー像、マゼンタトナー像及びブラックトナー像がそれぞれ形成され、これらのトナー像がイエロートナー像の転写された中間転写ベルト４６上に順次重ねて一次転写される。
【００３８】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００３９】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００４０】
また、記録媒体搬送装置１４は中間転写ベルト４６の下方に配置されており、この記録媒体搬送装置１４は、転写紙又は樹脂シート等からなる記録媒体Ｓを収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００４１】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体上にトナー像が形成されるのである。
【００４２】
また、トナー像が形成された記録媒体は定着装置１３を通過し、このとき画像形成手段１２によって形成された記録媒体上のトナー像がその記録媒体に定着される。また、定着装置１３によって画像が定着された記録媒体Ｓは排紙ローラ対６０によって記録媒体排紙台６１上に排紙される。
【００４３】
この記録媒体排紙台６１は、画像形成手段１２を収納する第１の装置本体１５と画像読取装置１６を収納する第２の装置本体１７の間に形成されており、本実施の形態では、排紙ローラ対６０による記録媒体Ｓの排紙方向下流側の第１の装置本体１５及び第２の装置本体１７の間が開放される胴内排紙型の複写機１１となっている。
【００４４】
また、排紙ローラ対６０の上流側には切換レバー６２が設けられており、この切換レバー６２は記録媒体の表面の複写が終了したときに、記録媒体Ｓの裏面に複写を行うときに、反転通路６３側に切換えられるようになっている。
【００４５】
即ち、記録媒体Ｓの後端が排紙ローラ対６０に挟持されると、排紙ローラ対６０が逆転駆動するとともに、切換レバー６２が反転通路６３に連通する位置に切換えられ、記録媒体Ｓが反転通路６３に向かって搬送される。
【００４６】
この反転通路６３には反転ローラ対６４が設けられており、この反転ローラ対６４によって反転通路６３を搬送される記録媒体は、二次転写ローラ５６側に搬送される。
【００４７】
一方、スリットガラス３６上には反射ガイド板６５が設けられており、この反射ガイド板６５は原稿の読取時の白基準を構成するとともに、光源３７からの光を反射するようになっている。
【００４８】
また、コンタクトガラス３５とスリットガラス３６の間にはガイド部材が設けられており、このガイド部材７１は、スリットガラス３６を通過した原稿を掬い上げて搬送ローラ対２７に向かって案内するようになっている。
【００４９】
次に実施例に係る画像読取装置での透過原稿の読取りについて説明する。図２は実施例に係る画像読取装置の外観構成を示す斜視図、図３は画像読取装置の内部構成を示す図２中のＡ−Ａ線に相当する断面図、図４は実施例に係る画像読取装置に使用する導光板の構成を示す断面図である。本実施例に係る画像読取装置１６は、反射原稿用光源３７とは別に、透過原稿用光源１０１を備える他、透過原稿用光源１０１の光を導き原稿の裏（上側）から光を照射する導光部材１１０を備えている。透過原稿用光源１０１は、画像読取装置１６に配置されたコンタクトガラス３５の長手方向の縁部に沿って形成された凹溝部１２１内に設けられている。ここで画像読取装置を透過原稿Ｄの読取りが行えない仕様とするときには、この凹溝部１２１に透過原稿用光源１０１を配置することなく、凹溝部１２１を蓋部材で覆えばよい。本例によれば、反射原稿及び透過原稿を読み取れるタイプと、反射原稿だけを読み取れるタイプの画像読取装置を同一の筐体で製造することができる。
【００５０】
本例では、透過原稿用光源１０１は、例えば冷陰極線管でありコンタクトガラス３５の横側に前記第１走行体３９の移動方向（走査方向）に沿って配置されている。なお、透過原稿用光源１０１として他の光源、例えばキセノンランプ、ＬＥＤアレイなどを使用することができる。
【００５１】
また、導光部材１１０は図４に示すように、透明のアクリル樹脂製の導光板１１２と、透過原稿用光源１０１からの光Ｌを反射して導光板１１２の端部に射出する反射板１１１とを備えるものであり、導光板１１２の表側面には白色インクで形成された反射ドット１１３ａ、１１３ｂ、…、１１３ｆ、…が配置されたものである。光源１０１から出た光Ｌ１は導光板１１２の上下面で表面反射を繰り返しながらその内部を伝わり（Ｌ２）、反射ドット１１３ａ、１１３ｂ、…で散乱されて導光板１１２表面から外に射出され略均等に照射される（Ｌ３）。なお、反射ドット１１３ａ、１１３ｂ、…、１１３ｆ、…は光源即ち反射板１１１の近傍ではその面積を小さく、反射板１１１から遠く離れるほどその面積を大きくすることにより導光板全体が均一に光るように工夫されている。なお、導光部材１１０の両縁部には、コンタクトガラス３５と導光部材１１０とを所定間隔離間させるためのスペーサ１２２，１２３が配置されている（図３参照）。
【００５２】
そして、透過原稿Ｄの読取り時には、透過原稿に導光部材１１０から光が均一に照射された状態で、第１走行体３９が、図３中奥側から手前方向に移動する。第１走行体３９は図示されていないレールに沿って移動し、画像読取終了後はホームポジションに戻るよう駆動される。また、光源１０１は、本実施例では画像読取装置１６内に設けられた点灯駆動装置（インバータ等）によって、駆動され点灯される。なお、光源３７と光源１０１は同時に点灯される必要がないため、一つの点灯駆動装置を切換えて使用することができる。
【００５３】
本実施例に係る画像読取装置１６で透過原稿Ｄを読み取るには、まず、コンタクトガラス３５上に透過原稿Ｄを配置し、複写機１１の操作部から透過原稿の読取りを指示し、そして導光部材１１０をコンタクトガラス３５上に配置する。このとき、凹溝部１２１の上方に反射板１１１が位置合わせする必要があり、コンタクトガラス３５の周縁に導光部材１１０の位置決め用の突起部等を形成することが望ましい。
【００５４】
この状態で、画像読取装置１６の読取りをスタートさせると、透過原稿用光源１０１が点灯し、透過原稿用光源１０１からの光は、導光部材１１０の反射板１１１で反射され導光板１１２に入射する。入射した光は上述のように導光板１１２の上下面で反射すると共に反射ドット１１３ａ、１１３ｂ、…、１１３ｆ…で反射され透過原稿Ｄを一様に照明する。透過原稿Ｄを透過した光は、走査動作する第１走行体３９の第１ミラー３８で反射され、第２走行体４２の第２ミラー４０、第３ミラー４１で反射され、結像レンズ４３でＣＣＤイメージセンサ４４に結像する。これにより、透過原稿の画像が読み取られる。
【００５５】
本例に係る画像読取装置によれば、透過原稿用光源１０１は画像読取装置１６に取り付けられている他、導光部材１１０は画像読取装置１６に取付取り外しができるので、画像読取装置の構成を簡単なものとすることができる他、反射原稿読取り、透過原稿読取りの切換に電気的接続の取り付け取り外しを伴うことなく簡単な操作で、読取りの切換ができる。
【００５６】
なお、本例では、透過原稿用光源１０１の長さ寸法、及び導光部材１１０の大きさは、読取り対象とする透過原稿Ｄのサイズに対応させる。また、透過原稿用光源１０１は、１本としたが、複数本としてもよい。透過原稿用光源１０１を複数本とする場合には、透過原稿用光源をコンタクトガラス３５の両側に配置し、導光部材１１０の両側から光を入射されるようにしてもよい。このようにすれば、照明をより均一なものとすることができる
【００５７】
次に第２の実施例に係る画像読取装置２００について説明する。図５は第２の実施例に係る画像読取装置の構成を示す断面図、図６は第２の実施例に係る画像読取装置の反射原稿用光源及び透過原稿用光源の構成を示す斜視図である。本例に係る画像読取装置２００は、透過原稿用光源２０１と反射原稿用光源３７とを第１走行体３９に配置している。本実施例では、透過原稿用光源２０１は、キセノンランプ、冷陰極管等の光源とすることができる他、ＬＥＤアレイとすることができる。なお、導光部材１１０は、前記第１の実施例のものと同一の構成を備える。本例では、透過原稿読取時、透過原稿用光源２０１は点灯した状態で第１走行体３９の移動と共に移動する。また、本例では、画像読取装置２００において、配置した透過原稿用光源２０１の上方には、光透過用のスリット部２０２が開設されている。
【００５８】
本実施例によれば、透過原稿用光源２０１は、第１走行体３９の移動と共に移動し、透過原稿読み取るラインの近くのみを照らすことになり、光量が少なくてすむため、透過原稿用光源２０１の消費電力は小さいものですむ。
【００５９】
次に第３の実施例に係る画像読取装置３００について説明する。図７は第３の実施例に係る画像読取装置の構成を示す断面図である。本例では、反射原稿用光源３１０を基板上に複数のＬＥＤ発光素子を列設したＬＤＥアレイで構成し、その一端部に配置されたＬＥＤ発光素子３１１を透過原稿用光源とする。なお、導光部材１１０は第１の実施例のものと同一である。また、本例では、ＬＥＤ発光素子３１１からの光は、コンタクトガラス３５を透過して導光部材１１０の反射板１１１に入射する。
【００６０】
透過原稿読取時はＬＥＤ発光素子３１１からの光がコンタクトガラス３５を経て導光部材１１０に入射し、ＬＥＤ発光素子３１１は、第１走行体３９の移動と共に移動し、透過原稿読み取るラインの近くのみを照らすことになる。本例によれば、反射原稿用光源３７の一部を構成するＬＥＤ発光素子３１１を透過原稿用光源として機能するので、別個に光源を準備する必要がなく、構成を簡単なものとすることができる。
【００６１】
図８は第３の実施例の変形例に係る画像読取装置３００の構成を示す断面図である。この例では、ＬＥＤアレイで構成された反射原稿用光源３７のうち、導光部材１１０の両側に配置される２つのＬＥＤ発光素子３１１，３１２を透過原稿用光源として使用し、導光部材１１０の両側から光が入射するようにしている。本例によれば、このようにすればより光量を増やすことができる他、均一な照明を行うことができる。
【００６２】
次に第４の実施例に係る画像読取装置４００について説明する。図９は第４の実施例に係る画像読取装置の外観構成を示す斜視図、図１０は第４の実施例に係る画像読取装置の構成を示す図９中のＢ−Ｂ線に相当する断面図である。本例に係る画像読取装置４００は、第１走行体３９には反射原稿用光源３７と透過原稿用光源４１０とが設けられている。透過原稿用光源４１０は第１走行体３９とともに移動する。透過原稿用光源４１０の上部の外装部材には、コンタクトガラス３５の一縁に沿ってスリット部４３０が開設されている。導光部材４２０は、入射した光を均一にして透過原稿Ｄに照射する板状部４２１、板状部４２１に透過原稿用光源４１０からの光を導入する光導入部４２２とからなり、光導入部４２２の下端部には透過原稿用光源４１０に嵌合固定するための勘合部４２３が形成されている。導光部材４２０は、勘合部４２３を透過原稿用光源４１０に取り付けた状態で、スリット部４３０に光導入部４２２が挿入され、板状部４２１が透過原稿Ｄの上側に配置される。そして、導光部材４２０は、第１走行体３９の移動と同期して移動し、透過原稿Ｄの読取部を照明する。本実施例では、導光部材４２０は第１走行体３９の移動方向に対しては、原稿読取領域より小さくてもよいため、装置を小型化できる。また、導光部材４２０は、読取ライン近傍のみを照明すればよいため、光源の照度も低くて差し支えなく、光源の消費電力、発熱を抑えることができる。なお、第１走行体３９の両側に、導光部材４２０の嵌合部４２１を形成し、透過原稿用光源を設け、導光部材４２０の両側から光を入射させることができる。さらに、透過原稿用光源としては、第２又は第３の実施例に用いたものを使用することができる。
【００６３】
以上説明したように、本発明によれば、透過原稿用光源が読取装置本体に取り付け可能なため、透過原稿読取ユニットの装着時に電気的接続が不要で設置作業性が向上する。また、透過原稿用光源駆動手段として、反射原稿用光源の駆動装置を使用できるため、装置が簡単になる。
【００６４】
また、本発明によれば、透過原稿読取光源が、透過原稿の読取部のみを照明するだけですむため、光源の小型化を図ることができる。
【００６５】
また、本発明によれば、反射原稿用光源の一部を透過原稿読取用として使用ことができるため、反射読取専用の光源が不要で装置の簡素化、低コスト化が図れる。
【００６６】
また、本発明によれば、導光部材として読取部だけを照明するものを使用することができるため、装置の小型化が図れる。
【００６７】
そして、本発明によれば、電気接続の着脱を行うことなく簡単な操作で透過原稿の読取ができる。
【符号の説明】
【００６８】
１１  複写機
１２  画像形成手段
１３  定着装置
１４  記録媒体搬送装置
１５  第１の装置本体
１６  画像読取装置
１７  第２の装置本体
１８  自動原稿搬送装置（ＡＤＦ）
２０  原稿載置台
２１  ピックアップローラ
２２  給紙ベルト
２３  リバースローラ
２４  搬送ローラ対
２５  原稿搬送手段
２６  原稿排紙台
２７  搬送ローラ対
２８  排紙ローラ対
２８ａ  駆動ローラ
２８ｂ  従動ローラ
２８ｃ  従動ローラ
２９  原稿排紙手段
３０  切換爪
３１  スイッチバック通路
３２  スイッチバックローラ対
３４  光学系
３５  コンタクトガラス
３６  スリットガラス
３７  反射原稿用光源（光源）
３８  第１ミラー
３９  第１走行体
４０  第２ミラー
４１  第３ミラー
４２  第２走行体
４３  結像レンズ
４４  ＣＣＤイメージセンサ
４５Ｙ〜４５ＢＫ  第１〜第４像担持体
４６  中間転写ベルト
４７  帯電ローラ
４８  光書き込みユニット
４９  現像装置
５０  一次転写ローラ
５１  クリーニング装置
５２  クリーニング装置
５３  現像容器
５４Ｃ、５４Ｍ、５４ＢＫ  トナーボトル
５５  クリーニング容器
５６  二次転写ローラ
５７  給紙カセット
５８  給紙ローラ
５９  レジストローラ対
６０  排紙ローラ対
６１  記録媒体排紙台
６２  切換レバー
６３  反転通路
６４  反転ローラ対
６５  反射ガイド板
７１  ガイド部材
１０１  透過原稿用光源
１１０  導光部材
１１１  反射板
１１２  導光板
１１３ａ、１１３ｂ、…、１１３ｆ  反射ドット
１２１  凹溝部
１２２，１２３  スペーサ
２００  画像読取装置
２０１  透過原稿用光源
２０２  スリット部
３００  画像読取装置
３１０  反射原稿用光源
３１１，３１２  ＬＥＤ発光素子
４００  画像読取装置
４１０  透過原稿用光源
４２０  導光部材
４２１  板状部
４２２  光導入部
４２３  勘合部
４３０  スリット部
【先行技術文献】
【特許文献】
【００６９】
【特許文献１】特開平０４−１５６１６６号公報
【特許文献２】特開平０８−２３７４４１号公報
【図１】
2010191166.tif 000003
【図２】
2010191166.tif 000004
【図３】
2010191166.tif 000005
【図４】
2010191166.tif 000006
【図５】
2010191166.tif 000007
【図６】
2010191166.tif 000008
【図７】
2010191166.tif 000009
【図８】
2010191166.tif 000010
【図９】
2010191166.tif 000011
【図１０】
2010191166.tif 000012